Podtech/llm-jp-corpus-v4-ja_patent huggingface dataset:
(57)【要約】      （修正有）【課題】展開／収納可能な扇ぎ具を提供する。【解決手段】ミウラ折り（登録商標）を施した型紙１に備わる６個の要棒用の穴が、６個とも重なるように型紙１の一辺を折り束ね、重なった要棒用の穴に要棒２を差し込むことで形成される扇部と、折り目に沿い縮んでいるこの扇部を押し広げて保持する為、この扇部を形成する型紙１に備わる２個のほぞ用の穴に差し込む２個のほぞ６と、要棒用の穴に差し込んだ要棒２に引っ掛けることのできる保持金具４と、型紙１をミウラ折り（登録商標）で折り畳んだ状態で差し込める支持棒に開けた穴５とを備える支持棒３と、から構成される。【選択図】図１
0003195414.tif 000002
【実用新案登録請求の範囲】
【請求項１】
ミウラ折り（登録商標）を施した型紙１の片側を折り束ね、抜き差し可能な要棒２で固定した扇部（図２）と、折り目に沿って縮んでいるこの扇部（図２）を押し広げて保持する為のほぞ６と保持金具４を備えた支持棒３と、から構成される展開と収納が可能な扇ぎ具。
【考案の詳細な説明】
【技術分野】
【０００１】  本考案は、展開／収納可能な扇ぎ具に関する。
【背景技術】
【０００２】  従来、手で扇いで風を起こす扇ぎ具として団扇や扇子等が使用されている。また、風を起こすだけでなく芳香や防虫など種々の機能を付加したものも考案または発明されている。そして、折り畳み可能な扇ぎ具としては、一般的な扇子とも本考案の扇ぎ具とも異なる折り畳み方をするものとして、特許文献１や、特許文献２に開示されているものがある。
【特許文献１】  特開２０１０−０３５９９７号公報
【特許文献２】  特開２００３−０５２４３３号公報
【考案の概要】
【考案が解決しようとする課題】
【０００３】  扇ぎ具は風を起こすという役割を担う他、扇部に地図や広告などを描いて携帯掲示板としても使用される。その見やすさを損なうことなく、すなわち、描く文字や図柄を小さくすることなく掲示できる情報量を増やすこと、扇ぎ具自体が人の目を引くデザインであること、及び不使用時の収納性や携帯性を向上させること、等を課題とする。
【課題を解決するための手段】
【０００４】  この課題を解決するための請求項１の考案は、ミウラ折り（登録商標）を施した型紙１の片側を折り束ね、抜き差し可能な要棒２で固定した扇部（図２）と、折り目に沿って縮んでいるこの扇部（図２）を適度に押し広げて保持する為のほぞ６と保持金具４を備えた支持棒３と、から構成される展開と収納が可能な扇ぎ具である。要棒２を抜き差し可能にしておくことで、ミウラ折り（登録商標）の特徴である展開／収納性を活かし、扇部（図２）を図７の状態に展開することも、逆に折り畳んで支持棒３に開けた穴５に差し込み、図６のように収納することもできる。
【考案の効果】
【０００５】  よって本考案により、風を起こすための扇ぎ具として使用する際には、図１のように扇部（図２）を支持棒３で押し広げて保持した状態にすれば、通常の団扇のように扇ぐことができ、扇部に描かれている地図や広告等を見る際には、扇部（図２）から要棒２を抜いて図７の状態に展開すれば、扇ぎ具として使用する図１の状態よりも多くの情報を得ることができる。また、不使用時には、扇部（図２）を折り畳んで支持棒３に開けた穴５に差し込み、図６のようにコンパクトに収納して携帯することができる。
【図面の簡単な説明】
【０００６】
【図１】本考案に係る扇ぎ具を、風を起こす道具として使用する際の形態を示した図である。
【図２】本考案に係る扇部を示した図である。
【図３】本考案に係る支持棒の上面を示した図である。
【図４】本考案に係る支持棒の裏面（保持金具を備えた面）を示した図である。
【図５】本考案に係る扇部に支持棒を設置する方法を示した図である。
【図６】本考案に係る扇部を支持棒に収納したところを示した図である。
【図７】本考案に係る扇部となる型紙にミウラ折りを施した折り目を示した図である。
【考案を実施するための形態】
【０００７】  本考案に係る展開／収納可能な扇ぎ具（図１）は、一般的な厚紙を図７のように周囲をカットしてミウラ折り（登録商標）を施した型紙１を、６個の要棒用の穴Ｈが重なるように片側を折り束ね、要棒２をこれらの要棒用の穴Ｈに差し込むことにより扇部の要を固定するが、この扇部（図２）は折り目に沿って縮んでいるので、支持棒３の先端に２つあるほぞ６を、扇部（図２）に２つあるほぞ用の穴Ｔにそれぞれ差し込み、次に扇部（図２）を押し広げるようにして、支持棒３に備えている保持金具４を要棒２に引っ掛けるように差し込み（図５）、扇部が適度に広がった状態で保持したものである。支持棒３は扇部の形態にそって長手方向に曲げておけば、ほぞ６と保持金具４で保持する時に扇部に負担を掛けずに済む。使用者の負担減の為の軽量化、扇ぎ具として使用する時のしなり易さ（弾性）や強度、また加工性の良さを考慮すると、支持棒３の素材としては、竹またはプラスチックが望ましい。また、厚紙を用いる扇部は、展開と収納を繰り返すと折り目の割れが問題となるので、厚紙の表面に厚さが１０〜２０μｍ程度のＰＶＣ（ポリ塩化ビニル）などのフィルムをコートしておくのが耐久性や耐候性の観点から望ましい。
【符号の説明】
【０００８】１      型紙
２      要棒
３      支持棒
４      保持金具
５      支持棒に開けた穴
６      ほぞ
Ｈ      要棒用の穴
Ｔ      ほぞ用の穴
【図１】
0003195414.tif 000003
【図２】
0003195414.tif 000004
【図３】
0003195414.tif 000005
【図４】
0003195414.tif 000006
【図５】
0003195414.tif 000007
【図６】
0003195414.tif 000008
【図７】
0003195414.tif 000009
【手続補正書】
【提出日】平成26年10月21日(2014.10.21)
【手続補正１】
【補正対象書類名】実用新案登録請求の範囲
【補正対象項目名】全文
【補正方法】変更
【補正の内容】
【実用新案登録請求の範囲】
【請求項１】
ミウラ折り（登録商標）を施した型紙（１）に備わる６個の要棒用の穴（Ｈ）が、６個とも重なるように型紙（１）の一辺を折り束ね、重なった要棒用の穴（Ｈ）に要棒（２）を差し込むことで形成される扇部と、折り目に沿い縮んでいるこの扇部を押し広げて保持する為、この扇部を形成する型紙（１）に備わる２個のほぞ用の穴（Ｔ）に差し込む２個のほぞ（６）と、要棒用の穴（Ｈ）に差し込んだ要棒（２）に引っ掛けることのできる保持金具（４）と、型紙（１）をミウラ折り（登録商標）で折り畳んだ状態で差し込める支持棒に開けた穴（５）とを備える支持棒（３）と、から構成される展開と収納が可能な扇ぎ具。
(57)【要約】      （修正有）【課題】灸を据えると同時にマッサージを行い灸の効果を増強することができるマッサージ機能を備えた灸療法器を提供する。【解決手段】マッサージ機能を備えた灸療法器は外殼１、回路板３、振動マッサージ装置７を備える。外殼内には灸用品４を固定する固定構造を設置する。回路板と振動マッサージ装置とは電気的に連接し、しかも両者は外殼の底台１１内に設置する。灸療法器は灸を据えると同時に灸部位に対してマッサージを行えるため、熱の浸透、伝送、拡散の機能を補助でき、灸の効果を増強することができる。【選択図】図１
0003195416.tif 000002
【実用新案登録請求の範囲】
【請求項１】
マッサージ機能を備えた灸療法器は、外殼、回路板、振動マッサージ装置を備え、
前記外殼内には、灸用品を固定する固定構造を設置し、
前記回路板と前記振動マッサージ装置とは、電気的に連接し、しかも両者は、前記外殼内に設置することを特徴とするマッサージ機能を備えた灸療法器。
【請求項２】
前記外殼は、底台及び上蓋が嵌合して形成され、
前記固定構造は、前記外殼下部の上下が開放を呈する収容設置槽に設置し、
前記収容設置槽は、前記底台上に設置することを特徴とする請求項１に記載のマッサージ機能を備えた灸療法器。
【請求項３】
前記回路板は、前記外殼内に設置する電池により給電し、或いは外付けの電源コードによりアダプタと連接し、外部電源により給電することを特徴とする請求項１に記載のマッサージ機能を備えた灸療法器。
【請求項４】
前記外殼上には、ＤＣコンセントを固定し、前記回路板と連接し、
前記ＤＣコンセントと、前記ＤＣプラグを備えるアダプタにより、外部電源に連接し給電することを特徴とする請求項１に記載のマッサージ機能を備えた灸療法器。
【考案の詳細な説明】
【技術分野】
【０００１】
本考案は、灸療法器に関し、もぐさに点火する灸療法に用いる装置であるマッサージ機能を備えた灸療法器に関する。
【背景技術】
【０００２】
もぐさに点火する灸療法は、中国伝統の鍼灸療法の一つである。伝統的な灸方法は、ヨモギで作られた柱状もぐさに点火し、人体のツボに刺激を与え、保健や治療の効果を達成する一種の自然療法である。
【０００３】
伝統的な灸療法は、人手によるものが主である。しかし、人手による方式は、灸療法の距離を把握しにくいばかりか、自分に灸を据えることができないという欠点がある。そのため、現在市場では各種灸製品が販売されている。
【０００４】
漢方医がもぐさに点火する伝統的な灸手法は、灸を行うと同時に、マッサージ等の手法で灸の効果を増強している。これにより、熱を浸透させ、伝え、拡散させ、脈に従い全身に行き渡らせるが、従来の電子灸製品は、この種の機能を備えていない。
【先行技術文献】
【特許文献】
【０００５】
【特許文献１】なし
【考案の概要】
【考案が解決しようとする課題】
【０００６】
しかし、上述した考案は使用上に欠点があり、改善する必要がある。その原因は下記の通りである。
【０００７】
漢方医がもぐさに点火する伝統的な灸手法は、灸を行うと同時に、マッサージ等の手法で灸の効果を増強しているが、従来の電子灸製品は、この種の機能を備えていない。
【０００８】
本考案は、上述の問題に鑑みてなされたものであり、その目的は、
灸を据えると同時にマッサージを行い灸の効果を増強することができるマッサージ機能を備えた灸療法器を提供することにある。
【課題を解決するための手段】
【０００９】
本考案によるマッサージ機能を備えた灸療法器は、外殼、回路板、振動マッサージ装置を備える。
【００１０】
外殼内には、灸用品を固定する固定構造を設置し、回路板と振動マッサージ装置とは、電気的に連接し、しかも両者は、外殼内に設置する。
外殼は、底台及び上蓋が嵌合して形成され、固定構造は、外殼下部の上下が開放を呈する収容設置槽に設置し、収容設置槽は、底台上に設置する。
【００１１】
回路板は、外殼内に設置する電池により給電し、或いは外付けの電源コードにより、アダプタと連接し、外部電源により給電する。
【００１２】
外殼上には、ＤＣコンセントを固定し、回路板と連接し、ＤＣコンセントと、ＤＣプラグを備えるアダプタにより、外部電源に連接し給電する。
【考案の効果】
【００１３】
本考案は、従来のもぐさに点火する灸製品の外殼内に、振動マッサージ装置を設置することで、灸を据えると同時に、灸部位に対してマッサージを行え、熱の浸透、伝送、拡散の機能を補助でき、こうして灸の効果を増強することができる。
【図面の簡単な説明】
【００１４】
【図１】本考案の分解模式図である。
【図２】本考案の構造模式図である。
【考案を実施するための形態】
【００１５】
本考案の一実施形態によるマッサージ機能を備えた灸療法器を図面に基づいて説明する。
図１、２に示すように、マッサージ機能を備えた灸療法器は、外殼１、回路板３、振動マッサージ装置７を備える。
【００１６】
外殼１は、底台１１及び上蓋１２が嵌合して構成し、内部には固定構造を設置し、ヨモギで製造する柱状もぐさ、シート状もぐさ等の製品、或いは他の保健品、薬品等を固定する。本実施形態では、柱状もぐさ４を使用する。
【００１７】
本実施形態では、固定構造は、外殼１下部の上下が開放を呈する収容設置槽１３に設置する。収容設置槽１３は、底台１１上に設置する。
【００１８】
回路板３と振動マッサージ装置７とは、電気的に連接し、しかも両者は、外殼１内に設置する。
【００１９】
本実施形態による灸療法器は、灸を行うと同時に、振動マッサージ装置７を起動し、灸を据える部位に同時にマッサージを行い、こうして灸の効果を増強することができる。
【００２０】
回路板３は、外付けの電源コード５１とアダプタ５２とを連接することで、外部電源より給電することができる（本実施形態参照）。
【００２１】
使用の利便性を高めるため、電源アダプタは、灸療法器本体と分離して設置することもできる。本実施形態では、外殼１上にＤＣコンセント６を固定し、回路板３と連接し、電源コード５１の端部には、ＤＣプラグ５３を設置する。これにより、使用時には相互に挿入して接続する。
【００２２】
回路板は、外殼内に設置する電池により、内部給電（図示なし）とすることもできる。
【００２３】
上述の実施形態の説明を総合すると、本考案の操作、使用、及び本考案が生じる効果を充分理解することができる。しかし、以上に述べた実施形態は単に本考案の好ましい実施形態であり、これによって本考案の実用新案登録請求の範囲を限定することではない。即ち本考案の実用新案登録請求の範囲及び説明書の内容に基づいて、同等効果を有する簡単な変化及び修飾は、全て、本考案の範囲内に属するものとする。
【符号の説明】
【００２４】
１    外殼、
１１  底台、
１２  上蓋、
１３  収容設置槽、
３    回路板、
４    柱状もぐさ、
５１  電源コード、
５２  アダプタ、
５３  ＤＣプラグ、
６    ＤＣコンセント、
７    振動マッサージ装置。  
【図１】
0003195416.tif 000003
【図２】
0003195416.tif 000004
(57)【要約】      （修正有）【課題】任意の場所に設置することが可能な冷暖房装置を提供する。【解決手段】同一筐体内にエアコン室内機１と室外機２を備えてなる。エアコン室内機１への吸引口と吐出口を筐体前面の上下に分離してなる。筐体内のエアコン室外機２と室内機１の構成部品間に断熱壁を設けてなる。さらに筐体内のエアコン室外機２及び／または吐出口に外気吐出し用のパイプを接続可能とする。【選択図】図１
0003195412.tif 000002
【実用新案登録請求の範囲】
【請求項１】
同一筐体内にエアコン室内機と室外機を備えてなる冷暖房装置。
【請求項２】
エアコン室内機への吸引口と吐出口を筐体前面の上下に分離してなる請求項１に記載の冷暖房装置。
【請求項３】
筐体内のエアコン室外機と室内機の構成部品間に断熱壁を設けてなる請求項１または請求項２に記載の冷暖房装置。
【請求項４】
さらに筐体内のエアコン室外機及び/または吐出口に外気吐出し用のパイプを接続可能とした請求項１〜３のいずれかに記載の冷暖房装置。
【考案の詳細な説明】
【技術分野】
【０００１】
本考案は同一筐体内にエアコン室内機と室外機を備えてなる冷暖房装置に関する。
【背景技術】
【０００２】
一般にエアコンは、居室に設置される室内機と屋外やベランダ等に設置される室外機からなる。両者の間は冷媒が通る管路で結ばれており、室外機では内蔵されたコンプレッサーによって冷媒が加圧される。冷房時には、高温・高圧になった上記の冷媒ガスが室外機の熱交換器に送られ外気を用いて凝縮され、低温・低圧の冷媒液体が生成される。これは室内機の熱交換器に送られ、室内の空気から熱を奪って蒸発、気化する。生じた冷媒ガス再び室外機のコンプレッサーに送られ、この循環を繰り返す。暖房時にはコンプレッサーによって高温・高圧になった上記の冷媒ガスは室内機の熱交換器に送られ、室内の空気に冷やされて低圧・低温の液体となり、室外機の熱交換器に送られ、外気を用いて気化させることで室外の空気から熱を奪い温度を上げてコンプレッサーに吸入され、この循環を繰り返す。
【考案の概要】
【考案が解決しようとする課題】
【０００３】
しかし、このように、室内機と室外機が分離されているため、冷暖房装置の設置には非常に大きな制約が生じている。具体的には、その名の通り、室内機は室内に設置し、室外機は室外に設置し、両者を管路で接続するため、室内機の位置は一般に固定され、室外機の設置スペースも必要になる。コンプレッサー等を一体化した装置も存在するが、大きな効率は望めずコストも高い。
【０００４】
本考案は、比較的廉価なコストで十分な冷暖房効率を有する移動等の設置条件の緩和が可能な冷暖房装置の提供を目的とする。
【課題を解決するための手段】
【０００５】
この目的を達成するため、本考案は、以下の冷暖房装置を提供する。
［１］同一筐体内にエアコン室内機と室外機を備えてなる冷暖房装置。
［２］エアコン室内機への吸引口と吐出口を筐体前面の上下に分離してなる［１］に記載の冷暖房装置。
［３］筐体内のエアコン室外機と室内機の構成部品間に断熱壁を設けてなる［１］または［２］に記載の冷暖房装置。
［４］さらに筐体内のエアコン室外機及び/または吐出口に外気吐出し用のパイプを接続可能とした［１］〜［３］のいずれかに記載の冷暖房装置。
【考案の効果】
【０００６】
本考案によれば、冷暖房装置を任意の場所に設置することが可能である。
【図面の簡単な説明】
【０００７】
【図１】本考案の１実施例を示す模式図
【図２】本考案の他の実施例を示す模式図
【考案を実施するための形態】
【０００８】
本考案において「エアコン」としては通常、販売されているエアコンを含み、その機能は冷房機能と暖房機能を含む。具体的な空調機構は限定されるものではないが、上述の従来技術に記載したような冷媒による熱搬送機能を有するものが典型的である。その設置場所としては、例えば、倉庫や工場、体育館、工事現場、屋外等が挙げられる。
【０００９】
図１に示すように、本考案においては、冷暖房装置１０は基本的にはエアコンの室内機１と室外機２をほぼそのままの状態で筐体内に設置し、必要な冷媒輸送用のパイプ３や電源供給線（図示していない）で結んでもよい。図では室内機１を筐体の下部前面に設置し、対応する位置に吸引・吐出口４、コントロールパネル５を上部前面に設けて、室外機２を上部背面側に設けているが、これらのレイアウトは任意に変更できる。また、図２に示すように吸引口６を吐出口４と別に設けてもよい。図では簡略して吐出口４は表面に現れる部分のみを示しているが、もちろん、これは吐出口４ユニットとして室内機１に接続される。また、筐体内のエアコン室外機と室内機の間に断熱壁７を設けてもよい。さらに筐体内のエアコン室外機等に外気吐出し用のパイプを接続可能とする接続口８を設けてもよい。なお、図の筐体は説明の便宜上奥行を厚めに表示しているが、実際には機器に応じて任意の寸法・比率を採用することができる。
また、それぞれの構成部品（例えば、コンプレッサー、熱交換器等）を分割し、熱効率のよいかたちに再配置してもよい。この場合、筐体内のそれぞれの構成部品間に必要に応じて断熱壁を設けてもよい。
【００１０】
本考案の冷暖房装置は、任意の場所に設置できるが、例えば、工場、倉庫、屋外等、ある程度、空間の広がりのある場所に設置することが好ましい。この場合、エアコン室内機への吸引口と吐出口を筐体前面等、冷暖房の対象とするエリアに面した部分に分離して設けることで、十分な効果をもたらすことができる。場合によっては、筐体内室外機の吐出口からの気体を対象設置場所の外に搬送するためのパイプを設けるようにしてもよく、そのためのパイプ設置手段を備えていてもよい。
【００１１】
一般に、従来の移動設置型冷暖房装置では、２．８ｋＷ以下の程度の冷房能力しか発揮されないが、本考案によれば３．２〜８．０ＫＷ程度の冷房能力、３．６〜９．０ｋＷ程度の暖房能力が比較的容易に実現可能である。
【００１２】
電圧は一般的には２００Vであるが、適用する場所に応じて変更してもよい。電源の基本構成としては、給電線によるものが好ましいが、鉛蓄電池その他の充電池を内蔵してもよい。
【図１】
0003195412.tif 000003
【図２】
0003195412.tif 000004
(57)【要約】      （修正有）【課題】運転者の着座動作に応じて、パーキングブレーキの作動及び解除を行うことができるパーキングブレーキ装置を提供する。【解決手段】運転席３０に設けた運転者の着座を検出する圧力センサからなる着座検出部４０と、着座検出部において、運転者が着座したことが検出された場合には、パーキングブレーキを解除し、運転者が立ち上がったことが検出された場合には、パーキングブレーキを作動させるパーキングブレーキ制御部５０とを備える。【選択図】図１
0003195858.tif 000002
【実用新案登録請求の範囲】
【請求項１】
運転席における運転者の着座を検出する着座検出部と、
前記着座検出部において、運転者が着座したことが検出された場合には、パーキングブレーキを解除し、運転者が立ち上がったことが検出された場合には、前記パーキングブレーキを作動させるパーキングブレーキ制御部と
を備えることを特徴とするパーキングブレーキ装置。
【考案の詳細な説明】
【技術分野】
【０００１】
本考案は、パーキングブレーキ装置に関する。
【背景技術】
【０００２】
従来、スイッチを操作することにより、パーキングブレーキの作動及び解除を行う種々のパーキングブレーキ装置が開発されている。
【考案の概要】
【考案が解決しようとする課題】
【０００３】
本考案は、運転者の着座動作に応じて、パーキングブレーキの作動及び解除を行うことができるパーキングブレーキ装置を提供することを目的とする。
【課題を解決するための手段】
【０００４】
本考案の一態様によるパーキングブレーキ装置は、
運転席における運転者の着座を検出する着座検出部と、
前記着座検出部において、運転者が着座したことが検出された場合には、パーキングブレーキを解除し、運転者が立ち上がったことが検出された場合には、前記パーキングブレーキを作動させるパーキングブレーキ制御部と
を備える。
【考案の効果】
【０００５】
本考案のパーキングブレーキ装置によれば、運転者の着座動作に応じて、パーキングブレーキの作動及び解除を行うことができる。
【図面の簡単な説明】
【０００６】
【図１】本考案の実施の形態によるパーキングブレーキ装置の構成を示すブロック図である。
【考案を実施するための形態】
【０００７】
以下、本考案の実施の形態について図面を参照して説明する。
【０００８】
図１に、本考案の実施の形態によるパーキングブレーキ装置１０の構成を示す。
【０００９】
車両２０の運転席３０には、例えば圧力センサなどからなる着座検出部４０が設けられ、当該着座検出部４０は、運転席における運転者の着座を検出するようになされている。
【００１０】
パーキングブレーキ制御部５０は、着座検出部４０において、運転者が着座したことが検出された場合には、パーキングブレーキを解除する。
【００１１】
これに対して、パーキングブレーキ制御部５０は、着座検出部４０において、運転者が立ち上がったことが検出された場合には、パーキングブレーキを作動させる。
【００１２】
このように本実施の形態によれば、運転者の着座動作に応じて、パーキングブレーキの作動及び解除を行うことができる。
【符号の説明】
【００１３】
１０  パーキングブレーキ装置
２０  車両
３０  運転席
４０  着座検出部
５０  パーキングブレーキ制御部
【図１】
0003195858.tif 000003
(57)【要約】      （修正有）【課題】安価で、確実で、使い易い加工方法と構造を採るストッキングネットを提供する。【解決手段】網状透水性円筒形連続物の端を、一点に圧接した形状である。底部を加工する際に圧接・熔断することにより、良好確実で、安価、更に使用時は円筒形に近似な形状となる。【選択図】図２
0003195870.tif 000002
【実用新案登録請求の範囲】
【請求項１】
台所の流し排水口等で多用される下水管詰り防止用網（通称：ストッキングネット）の生産・加工に於ける工程を圧接・熔断に依る一工程で成し遂げる形状であるストッキングネット。
【考案の詳細な説明】
【技術分野】
【０００１】  従来この用途のストッキングネットは  底部を裁断の後  手加工で縫合してあったが、通称：まつり縫いに技量の良否があり、生産管理上・製品管理上多々問題があった。
圧接・熔断は  云わば機械加工であり、信頼性も高く品質も良い物である。
【背景技術】
【０００２】  従来  ストッキングネット自体一般に安価な場合が多く  その底部分をまつり縫いなど高価且つ不確実な構造を持たせる等  不都合な構造であった。
【考案が解決しようとする課題】
【０００３】その底部分を手加工等不確実な工程で無く、機械加工等確実な工程に依る構造としたい。
【課題を解決するための手段】
【０００４】  圧接・熔断することで、甚だ安く・信頼できるストッキングネットが得られる。
【考案の効果】
【０００５】  一般に  台所流し排水口は円筒形であり、ストッキングネットの底部分がまつり縫いの平坦構造では不具合でもあった。それが圧接・熔断することで、円筒中心への絞り構造となり、使い勝手もよく、甚だ安く・信頼できるストッキングネットが得られる。
【考案を実施するための最良の形態】
【０００６】  一般的に台所流し台排水口は深型、浅型、新型など在る為ストッキングネットの伸びる特性を活かし、隅に置く三角コーナーにも対応可能な形状とする。
【実施例１】
【０００７】図２のような  ストッキングネット
【産業上の利用可能性】
【０００８】  ストッキングネットに限らず  開口・深さ寸法を合わせれば  球形果実の数個づつ包み、など  球形・円筒形物の数個づつ梱包する際に役立つ。
【図面の簡単な説明】
【０００９】
【図１】従来のストッキングネットの平坦化状態と使用時形状。
【図２】改良したストッキングネットの立体化状態と使用時形状。
【符号の説明】
【００１０】  １  ストッキングネットの素材
２  底部まつり縫い部位
３  圧接・熔断加工部位
【図１】
0003195870.tif 000003
【図２】
0003195870.tif 000004
【手続補正書】
【提出日】平成26年8月22日(2014.8.22)
【手続補正１】
【補正対象書類名】実用新案登録請求の範囲
【補正対象項目名】全文
【補正方法】変更
【補正の内容】
【実用新案登録請求の範囲】
【請求項１】
台所の流し排水口等で多用される下水管詰り防止用網（通称：ストッキングネット）の特徴である網状透水性円筒形連続物を  目的に合わせ生産・加工するに際し、圧接・溶断に依る一工程で成し遂げる形状であるストッキングネット。
【手続補正書】
【提出日】平成26年10月27日(2014.10.27)
【手続補正１】
【補正対象書類名】実用新案登録請求の範囲
【補正対象項目名】全文
【補正方法】変更
【補正の内容】
【実用新案登録請求の範囲】
【請求項１】
網状透水性円筒形連続物の端を、一点に圧接した形状であることを特徴とする、ストッキングネット。
(57)【要約】      （修正有）【課題】うちわや扇子より少ないエネルギーでより大きな自然な風を起こす事が出来る起風用具を提供する。【解決手段】筒９に可動にセットされた心棒と、心棒を軸として回転可能にとりつけた羽８を有する。羽を広げた心棒を回転させる事により風を起こす事が出来る。又、コンパクトに携帯出来るので心棒にボールペンや耳かき棒等の機能を設置してもよい。【選択図】図２
0003195871.tif 000002
【実用新案登録請求の範囲】
【請求項１】
可動する心棒を筒内にセットし、羽を広げた心棒を回転させる事により、少ないエネルギーで自然な風が起こせるところを特徴とする。
又、収納時は心棒を閉じるとコンパクトに携帯できる為、筆記用具や耳かき棒、等にも応用出来るところも特徴とする。
【考案の詳細な説明】
【技術分野】
【０００１】  本考案は、物体の回転を利用して自然の風を起こすものである。
又、コンパクトで携帯出来る事から筆記用具や耳かき棒、等のコラボも可能である。
【背景技術】
【０００２】  熱い時、うちわ、や扇子で熱さを凌いでいたが、意外と体力を使い腕の力で、なかなか汗が止まらない。特に就寝時は、なかなか寝付けない。
【先行技術文献】
【特許文献】
【０００３】
【特許文献１】
【特許文献２】
【非特許文献】
【０００４】
【非特許文献１】
【非特許文献２】
【考案の概要】
【考案が解決しようとする課題】
【０００５】  うちわ、や扇子では体力を使う為なかなか体温が下がらない。
又、サイズ的に大きいので携帯に向かない。
【課題を解決するための手段】
【０００６】  本考案は、筒状の物に羽付きの心棒を入れ、少ないエネルギーで心棒を回転させ風を起こす事が出来る。
【考案の効果】
【０００７】  物体の回転を利用し、少ないエネルギーで風を起こせるので体力も電力も軽減される。又、コンパクトに携帯出来るので心棒にボールペンや耳かき棒  等の機能を設置し、より便利に利用する事が出来る。
【図面の簡単な説明】
【０００８】
【図１】本体収納時の正面図である。
【図２】本体を使用している時の一部分である。
【図３】筒と心棒が接触している部分の断面図である。
【考案を実施するための形態】
【０００９】  図１‐１の部分に曲げ伸ばし金具を取り付ける。図２‐８は、心棒に開閉式の羽を取り付ける。図２−２の心棒と羽の堺は回転出来る様にする。羽は、薄く軽く丈夫で開閉し易い物とする。図１‐５には固定用の磁石等を取り付ける。図３では筒と心棒の接地面積を最小限にして、回転を滑らかにする。図１‐４は壁掛けや、携帯用のフックを取り付ける。図１‐３は心棒にボールペン（例）を仕込んである。後は、素材や形状やデザインを工夫して全ての人が持ち歩きたくなる様な商品を目指す。
【実施例】
【００１０】  図１‐１心棒を伸ばし、図１‐２心棒を回転させる。図２‐８羽を広げ図２‐９筒を中心に心棒を回転させ、風を起こす。
図１‐５筒と心棒を固定させ、ボールペン（例）として使用する。
【符号の説明】
【００１２】１  曲げ伸ばし金具
２  回転装置
３  ボールペン
４  フック
５  固定用磁石  等
６  心棒
７  羽の保護材
８  羽
９  筒
１０  心棒の回転台
１１  心棒のズレ防止
【図１】
0003195871.tif 000003
【図２】
0003195871.tif 000004
【図３】
0003195871.tif 000005
【手続補正書】
【提出日】平成26年8月1日(2014.8.1)
【手続補正１】
【補正対象書類名】実用新案登録請求の範囲
【補正対象項目名】全文
【補正方法】変更
【補正の内容】
【実用新案登録請求の範囲】
【請求項１】
筒に可動にセットされた心棒と、核心棒を軸として回転可能にとりつけた羽を有することを特徴とする、起風用具。
【手続補正書】
【提出日】平成26年11月17日(2014.11.17)
【手続補正１】
【補正対象書類名】実用新案登録請求の範囲
【補正対象項目名】全文
【補正方法】変更
【補正の内容】
【実用新案登録請求の範囲】
【請求項１】
筒に可動にセットされた心棒と、該心棒を軸として回転可能にとりつけた羽を有することを特徴とする、起風用具。
(57)【要約】      （修正有）【課題】背中にファスナーが付いた服を着脱する時、背中のファスナーの引手をはさみ、ついている長い紐を上下に引っ張ることでファスナーを容易に開閉させるクリップを提供する。【解決手段】ファスナーの引手をファスナーに対して９０度になるようはさむ為にクリップ１の物をはさむ先端部分を内側に折り曲げ、ゴム２をつける。また、ファスナーの引手がファスナーに対して９０度に角度が保たれたまま上下に引っ張る為の長い紐３（革・繊維・金属など）をクリップの側面につける。【選択図】図１
0003195874.tif 000002
【実用新案登録請求の範囲】
【請求項１】
ファスナーの引手を挟み、開閉する為の長い紐状の引っ張るものが側面に付いたクリップ。
【請求項２】
クリップの物をはさむ先端部分を内側に折り曲げゴムを付け、ファスナーの引手をファスナーに対して９０度に挟めるようにしたクリップ。ゴムはファスナーに接しないようつける。
【請求項３】
ファスナー上で安定して動かせるように、ファスナーに接する部分を幅のある面にしたクリップ。
【考案の詳細な説明】
【技術分野】
【０００１】  本考案は、ワンピースの背中など、手の届きづらい箇所のファスナーや、つまみにくいファスナーの引手を挟み、側面に付けた長い紐を引っ張ることでファスナーを開閉させるクリップに関するものである。
【背景技術】
【０００２】  女性のワンピースなど、ファスナーが背中についた服を着脱する場合、
腕を背中にまわし、ファスナーの引手を指でつまんで上下に動かし、ファスナーを開閉させる。
【考案の開示】
【考案が解決しようとする課題】
【０００３】  ワンピース等  背中にファスナーがついた服を着脱する時、体が硬い場合には、腕を背中側にまわしづらく、また、ファスナーの引手に手が届きづらく、上げ下げも容易ではない。中高年になると体が硬くなる上に、指先を使う細かな作業もできづらく、背中についたファスナーの開閉が益々困難になる。
本考案は、以上の問題点を解決し、服の背中についたファスナーの引手を長い紐（革、繊維、金属等）がついたクリップではさみ、その紐を上下に引っ張ることでファスナーを開閉できるようにしたものである。
【課題を解決する為の手段】
【０００４】  ファスナーの引手をファスナーに対して９０度になるよう挟む為に、クリップの物をはさむ先端部分を内側に折り曲げゴムをつける。ファスナーの引手がファスナーに対して９０度に角度が保たれたまま上下に引っ張る為の長い紐（革・繊維・金属等）をクリップの側面につける。
本考案は、以上の構成からなる、長い紐状のものがついたゴムつきクリップである。
【考案の効果】
【０００５】    背中にファスナーがついた服を着脱する時、
本考案クリップでファスナーの引手部分をはさみ、クリップにとりつけた長い紐（革・繊維・金属等）を持ち上下に引っ張ることで、腕を背中にまわすことなくファスナーの開閉が容易にできる。また、クリップなので細かい作業の必要が無く中高年でも使いやすい。
【考案を実施するための最良の形態】
【０００６】  以下、本考案の実施の形態を説明する。
（イ）クリップの物をはさむ先端部分を内側に折り曲げゴムをつける。ファスナーの引手をファスナーに対して常に９０度に保つためのものである。また、はさんだ物に傷がつくことも防止できる。ゴムは、ファスナーに接しないよう取り付ける。
（ロ）ファスナーを開閉するために長い紐状の引っ張るものをクリップの側面につける。素材は、革・繊維・金属など。
（ハ）クリップがファスナー上で安定して動くように、接する部分は幅を持たせた面にする。
本考案は以上の構成よりなる。
背中にファスナーがついた服を着る時、
開いているファスナーの引手に本考案のクリップをはさみ、付いている長い紐（革・繊維・金属など）を肩越しより引っ張り、ファスナーを閉める。
背中にファスナーがついた服を脱ぐ時、
閉まっているファスナーの引手に本考案のクリップをはさみ、付いている長い紐（革・繊維・金属など）を腰に手を回して持ち下に引っ張り、ファスナーを開ける。
【図面の簡単な説明】
【０００７】
【図１】本考案の斜視図
【図２】本考案の側面図
【図３】本考案の上部から見た図
【符号の説明】
【０００８】（１）クリップ  （２）ゴム  （３）革・繊維・金属等の長い紐
【図１】
0003195874.tif 000003
【図２】
0003195874.tif 000004
【図３】
0003195874.tif 000005
【手続補正書】
【提出日】平成26年11月14日(2014.11.14)
【手続補正１】
【補正対象書類名】実用新案登録請求の範囲
【補正対象項目名】請求項２
【補正方法】変更
【補正の内容】
【請求項２】
クリップの物を挟む先端部分を内側に折り曲げゴムを付け、ファスナーの引手をファスナーに対して９０度に挟めるようにし、ゴムはファスナーに接しないようにしたことを特徴とする請求項１に記載のクリップ。
【手続補正２】
【補正対象書類名】実用新案登録請求の範囲
【補正対象項目名】請求項３
【補正方法】変更
【補正の内容】
【請求項３】
ファスナー上で安定して動かせるように、ファスナーに接する部分を幅のある面にしたことを特徴とする請求項１、又は２に記載のクリップ。
(57)【要約】      （修正有）【課題】軽量化、小型化、簡易な使用方法、練炭燃焼中における携行移動の安全性且つ容易性を高めた板金型練炭ポットを提供する。【解決手段】市販のマッチ着火練炭９を収納燃焼させる簡易板金型ポータブル練炭ポットであって、薄型軽量板金で形成した練炭が収納できる円筒型練炭ポット本体１及び練炭燃焼時に本体を移動させる場合でも高熱が手に直接当らない位置に取り付けた吊り金輪４を備える。本体重量は約３００グラム、従来比約１３分の１の飛躍的な軽量化を達成した。また、吊下げ金輪取付け位置を工夫したことで本体を約４５度傾斜させ、指掛け程度の労働力で安全に携行移動することができる。【選択図】図２
0003195880.tif 000002
【実用新案登録請求の範囲】
【請求項１】
主に戸外での暖房、湯沸し、火種確保等に利用することを主眼にして、市販のマッチ着火練炭を収納燃焼させることの可能な軽量、小型、取扱い簡易な使用方法、携行移動容易なことなど、機能性を高めた板金型簡易ポータブル練炭ポット
【考案の詳細な説明】
【技術分野】
【０００１】  練炭火を利用している市販器具はその殆どが土製練炭コンロであるが、本考案器具では土を使用せず、薄型板金を材料とする板金型簡易ポータブル練炭コンロの考案に関するもの。
【背景技術】
【０００２】  市販土製練炭コンロは使用場所、範囲は凡そ屋内である。しかも、製品材料が土であることから破損度合いが高く、また、本体重量は重く、練炭を収納すれば加えて重くなり、更に燃焼中はコンロも相当高熱になり、高齢者や弱者にとって移動させたい場合容易でなく労働的負担も大きい実態がる。
【先行技術文献】
【特許文献】
【０００３】
【特許文献１】  −
【非特許文献】
【０００４】
【非特許文献１】  −
【考案の概要】
【考案が解決しようとする課題】
【０００５】  市販の土製練炭コンロ本体重量が凡そ４ｋｇと重くても、また、破損度合いの高い実態があっても、材質が土の性質上やむを得ないという練炭コンロの既成された概念が存在する。これは快適な生活条件を阻む要因とも考えられる。従って、抜本的に材質や形状を見直し、本体重量の飛躍的な軽量化、更に安全で使いやすい簡易な練炭コンロの考案により、前述の土製コンロの問題点を払拭し解決しようとするものである。
【問題を解決するための手段】
【０００６】  本考案は、１つ目に製作材料を薄型板金に着目したことが練炭コンロの軽量化、破損度合いの減少化という問題解決を図り、２つ目の手段は本体付の吊り金輪取付け位置を工夫したことで、吊下げたとき本体を傾斜させることができ、指掛けすることで練炭燃焼中でも重労働的負担を要せず容易にしかも安全に携行移動することが可能となり問題点を解決している。
【考案の効果】
【０００７】  上述の様に、薄型板金を使用することで飛躍的に本体重量の軽量化が達成した。従来の土製練炭コンロは本体重量だけでもが凡そ４ｋｇと重たく、しかも材質が土の性質上破損することの実態が少なからず見受けられる。本考案は薄型板金材にして本体重量を凡そ３００ｇまで軽減、実に土製練炭コンロと本考案を比較すれば約１３分の１の軽量化を見た。また、吊下げたとき本体を傾斜させることができ、指掛けすることで練炭燃焼中でも重労働的負担を要せず容易に、しかも安全に携行移動することが可能となり、この実益は高齢者、四肢に若干の障害がある者、女性等弱小者でも容易に取扱いが出来ることとなり快適な日常生活の増進に寄与する。また、屋外的には冬季における農林作業での手足の暖房用、焚き火の種火として、また、海浜釣り場での暖房手段やインスタント食品⇒カップラーメン・インスタントコーヒー等の湯沸し用としても重宝である。
【図面の簡単な説明】
【０００８】
【図１】本考案の実施例を示す正面図
【図２】本考案の実施例を示す前記図１に示すＡ〜Ｂに係る断面図
【図３】本考案の実施例で、練炭燃焼中に指掛けして吊下げた状態を示す側面図
【図４】蓋の平面図
【考案を実施するための形態】
【０００９】  ポータブル練炭ポット本体付の鉄線格子蓋を開ける。次に、練炭のマッチ着火側を上向きにしてポットに収納する。次に、マッチで練炭に点火し、練炭への着火を確認して蓋をすれば完了。用途は前述のとおり多岐に及ぶが、練炭燃焼中であっても本体付の吊下げ金輪でぶら提げれば練炭ポット本体が傾斜することで、直接練炭燃焼熱の直射を受けることなく容易に携行移動することが可能である。
【実施例】
【００１０】  以下、添付図面によって実施例を説明する。１は薄型軽量板金で形成した市販練炭が収納できる円筒形練炭ポット本体、２は本体に附属の鉄線格子蓋で練炭を収納するときに開け、練炭の着火が完了すれば元に戻し蓋をする仕組み。湯沸器、小鍋を据える台、魚焼きをイメージしてデザインした。【００１１】  ６は本体吊下げ金輪で、長さ１６センチ、巾は台金具取付け部３センチ、指掛け部４センチで持運びの際に使用するが、吊下げ金輪台を１箇所とすること及び金輪台の位置を本体円筒上部位から約６センチとすることで吊下げ時における本体と金輪との垂直角度を約４５度生じせしめることとなり、練炭燃焼時に本体移動をさせる場合でも高熱が手に直接当らない利点を得た。更に、吊下げ金輪を金輪台から約３センチのところから本体より約２５度外曲折することで本体と吊下げ金輪指掛け部位とに約５センチ強の間隙をつくり指掛けし易く、また、金輪が熱くならないよう工夫した。【００１２】  ８は板金を４５度目安に内側へ６箇所曲げ折込むことで収納練炭の台座となる。片や、板金を曲げ折込むことにより接地部位に三角様の空洞ができ、ここから練炭完全燃焼に必要な空気取入れ口となる。
【産業上の利用可能性】
【００１０】  産業上の利用方法としては、マッチ着火練炭製造会社と連携して本考案物件に練炭を収納セットした形式で需要を促進したい。生産方法については板金プレス企業と提携すれば需要に対応できると考えている。
【符号の説明】
【００１５】１  板金型簡易ポータブル練炭ポット本体
２  鉄線格子蓋
２ａ−図４−  鉄線格子蓋の平面図
３  蓋の開閉用金属製ワッカ
４  吊下げ金輪
４ａ−図３−  本体を吊下げた場合、本体が約４５度傾斜することの立証図
５  吊下げ金輪取付け台金具
６  ５の固定ネジ
７  練炭の不完全燃焼防止用空気取入れ上部孔
８  円筒板金を内側に６箇所曲げ折込み、収納練炭の台座を作る。
９  本体に収納した練炭想像図
【図１】
0003195880.tif 000003
【図２】
0003195880.tif 000004
【図３】
0003195880.tif 000005
【図４】
0003195880.tif 000006
【手続補正書】
【提出日】平成26年11月13日(2014.11.13)
【手続補正１】
【補正対象書類名】実用新案登録請求の範囲
【補正対象項目名】全文
【補正方法】変更
【補正の内容】
【実用新案登録請求の範囲】
【請求項１】
市販のマッチ着火練炭を収納燃焼させる簡易板金型ポータブル練炭ポットであって、薄型軽量板金で形成した市販練炭が収納できる円筒型練炭ポット本体及び練炭燃焼時に本体移動させる場合でも高熱が手に直接当らない位置に吊り金輪を取り付けたことを特徴とする簡易板金型ポータブル練炭ポット
(57)【要約】      （修正有）【課題】幼児用トレーニングパンツにおいて、脱がせる時便が足に付いたり、また全開のトレーニングパンツでは面ファスナーをはずすと、布が一気にはずれ、周囲に便が散乱することを無くすことができる幼児用トレーニングパンツを提供する。【解決手段】パンツの前部を開くことができるボタン穴、またはボタン、またはスナップ、または面ファスナー５を設け、また、立たせたまま処理する時は前の部分を後ろの部分に重ね、次にウエストのボタン３をはずす二段階にすることで便の散乱を防ぎ、また子供を寝かせて処理する時はおむつと同じに平面で処理できることを特徴とする。【選択図】図１
0003195879.tif 000002
【実用新案登録請求の範囲】
【請求項１】
「幼児用トレーニングパンツにおいて
（１）ベルト部分とパンツ本体は一体であり、
（２）ベルトの先端の近くにボタン、またはカギホック受け、またはスナップ、または面ファスナーを付け、もう一方のベルトの先端の近くの対応する位置にボタン穴、またはカギホック、またはスナップ、または面ファスナーを設ける、
（３）本体の前の部分の上側、脇の先端の近くに、左右ともボタン、またはボタン穴、またはスナップ、または面ファスナーを設け、ベルトの対応する位置に、ボタン穴、またはボタン、またはスナップ、または面ファスナーを設ける、
（４）後ろの部分で脇の下部に（お腹の中央と脇の中間、高さはお腹と足のつけねの半分位）に左右ともボタン穴、またはボタン、またはスナップ、または面ファスナーを付け、前の部分の下部の対応する位置にボタン、またはボタン穴、またはスナップ、または面ファスナーを設ける、
（５）本体の布地は中央の股当て部分のみ二層からなり、綿布を使用する、または三層からなり、外側は綿、中間層は防水布、または撥水布、内側は綿の吸水布を使用する、他の部分は綿を使用する、
（６）ベルトの中および股ぐりにゴム帯を入れる、
以上からなる幼児用トレーニングパンツ。」
【考案の詳細な説明】
【先行技術文献】
【非特許文献】
【非特許文献１】  実用新案第３０１６０９０号
【考案の概要】
従来のトレーニングパンツは、脱がせる時に、足に便がつく。それを防ぎおむつはずしを容易にし、育児の負担を軽減する。
【考案が解決しようとする課題】従来のトレーニングパンツは、脱がせる時に足に便がつく。また全開のトレーニングパンツでは、面ファスナーをはずすと布が一気にはずれ、周囲に便が散乱する。
【課題を解決するための手段】トレーニングパンツの前部を開くことができるようにすることで、立たせたままで処理するときは、先ずボタンをはずし、前部を後部に重ねて、片手で持ち、もう一方の手でウエストのボタンをはずす。二段階にはずすことにより便の散乱を防ぐ。また、おむつと同じように子供を寝かせて平面で処理できる。
【考案の効果】おむつはずしは育児中の母親にとり大変な負担であるが、それを軽減でき、育児を楽にする。
面ファスナーのトレーニングパンツは面ファスナーをはずすと一気にはずれ、便が散乱する。ボタンをはずし、次にウエストのボタンをはずす、二段階にすることで、一気にはずれるのを防ぎ周りを汚さない。
パンツ型だと脱がせる時に足に便がつき、不潔になりやすい。
【図面の簡単な説明】
【図１】ボタンおよびホックを全てはずした状態を示した平面図である。
【図２】ウエストのボタンを留め、他のボタンをはずした状態を示した平面図である。
【符号の説明】  １  トレーニングパンツ本体後部
２  トレーニングパンツ本体前部
３  ボタン、またはカギホック受け、またはスナップ、または面ファスナー
４  ボタン穴、またはカギホック、またはスナップ、または面ファスナー
５  ボタン穴、またはボタン、またはスナップ、または面ファスナー
６  ゴム帯
７  ベルト部分
【図１】
0003195879.tif 000003
【図２】
0003195879.tif 000004
(57)【要約】      （修正有）【課題】高齢者や障害者が食べ物を口に運ぶ際、食べ物が落下する事を防ぐ又は落下しにくくしたフォークを提供する。【解決手段】フォークの先に返し１をつける。フォーク上の食べ物が返し部分に引っかかり落ちず、手が震え、食べ物がフォークから落ちていた高齢者、障害者でも自力で食事ができる。【選択図】図１
0003195878.tif 000002
【実用新案登録請求の範囲】
【請求項１】
【考案の詳細な説明】
【考案の詳細な説明】
【考案が解決しようとする課題】
【０００１】  従来のフォークは高齢者、障害者の方が食べ物を口に運ぶ際、時間がかかり、手が震え、フォーク上から食べ物が落下してしまい、そのため本人の食事への意欲の減退、介助者が食事の介助を行うことによる筋力の低下、また介助者の介助の時間が増えるなどの問題点を有していた。
【課題を解決するための手段】
【０００２】  上記目的を達成するために、通常のフォークの先に返しをつけ、高齢者や障害者が食べ物を口に運ぶ際、食べ物が落下する事を防ぐ又は落下しにくくした。
【考案の効果】
【０００３】フォークの先に返しがあることにより、フォーク上の食べ物が落ちず従来のフォークでは手が震え、食べ物がフォークから落ちていた高齢者、障害者でも自力で食事ができ、また介助が必要な場合でも食べ物が落下しにくい為、介助にかかる時間の短縮を行うことができる。
【図面の簡単な説明】
【図１】フォークを正面から見た図である。
【図２】フォークを平面から見た図である。
【図３】フォークを左側から見た図である。
【図４】フォークを右側から見た図である。
【符号の説明】    １  返し部分
【図１】
0003195878.tif 000003
【図２】
0003195878.tif 000004
【図３】
0003195878.tif 000005
【図４】
0003195878.tif 000006
【手続補正書】
【提出日】平成26年11月10日(2014.11.10)
【手続補正１】
【補正対象書類名】実用新案登録請求の範囲
【補正対象項目名】全文
【補正方法】変更
【補正の内容】
【実用新案登録請求の範囲】
【請求項１】
フォークの先に返しをつけ、食べ物が落下する事を防ぐ、又は落下しにくくしたフォーク。
(57)【要約】      （修正有）【課題】電子レンジ炊飯において、専用容器や、内ふた、専用茶碗を不要とする炊飯ふたを提供する。【解決手段】羽釜のふたと同様、ふたに適当な重量を与えることで内圧を高め、米粒の内部に水分が浸透する効果を促進することで、内ふたを不要とした電子レンジ用炊飯ふた１。ふたの重量だけでは、吹きこぼれを防止することができないため、蒸気抜き孔２の出口側開口面積を徐々に広げ、蒸気吹出速度を抑えることで蒸気の凝縮を促進し、蒸気抜き孔２の出口側に凝縮水溜まりを設けることで、吹きこぼれ防止と同時に適度な内圧を確保できるようにした。【選択図】図１
0003195887.tif 000002
【実用新案登録請求の範囲】
【請求項１】
電子レンジを使って、手持ちのお気に入り茶碗や丼等の容器にかぶせるだけで炊飯できる、単純な形状で洗浄も容易な炊飯ふた。
【考案の詳細な説明】
【技術分野】
【０００１】
本考案は、電子レンジを用いて炊飯する際のふたに関するものである。
【背景技術】
【０００２】
一人暮らし人口が増える中、電子レンジで炊飯するニーズが増えており、プラスチック容器や、土鍋状のものが実用に共されている。
これらは、ほとんどが内外二重ふた付き炊飯器である。唯一、実用新案第３１１８２４３号「電子レンジ用炊飯容器」が、内外二重ふた付き茶碗である。
【０００３】
しかしながら、これらのものは、一人暮らし者が抱える炊飯の手間を省くのに役立っているが、内外二重ふた付き炊飯器では、茶碗に移し替える手間が必要であり、洗いものはさほど減っておらず、さらなる改善が必要とされていた。  
【０００４】
また、「電子レンジ用炊飯容器」は、茶碗とふたがひと組となっており、選べる茶碗が限られ、お気に入りの茶碗や、料理に合わせて丼等の容器を選べなかった。
【０００５】
この改善策として、市販の茶碗等の容器でも電子レンジで炊飯できるふたを考案した。従来の炊飯容器は、内ぶたによって吹きこぼれを防止していたが、本考案は、発生する水蒸気を凝縮させ、これにより吹きこぼれを防止するものである。このふたによって茶碗等の容器で直接炊飯することで、炊飯容器から茶碗等への移し替えの手間を減じ、洗いものを最小とし、お気に入りの茶碗を使ったり、料理に合わせて丼等の容器を使ったり、ご飯の量を自由に変えることが可能となった。
【先行技術文献】
【特許文献】
【０００６】
【特許文献１】実用新案登録第３１１８２４３号電子レンジ用炊飯茶碗
【考案の概要】
【考案が解決しようとする課題】
【０００７】
解決しようとする問題点は、電子レンジ炊飯において、内ふたや、専用茶碗が必要となる点である。
【課題を解決するための手段】
【０００８】
本考案は、古来の羽釜のふたと同様に、ふたに適度な重量を与えることで内圧を高め、米粒の内部に水分が浸透する効果を促進することで、内ふたを不要とした。
しかしながら、ふたの重量だけでは、吹きこぼれを防止することができない。
そこで、蒸気抜き孔の出口側開口面積を徐々に広げ、蒸気吹出速度を下げることで蒸気の凝縮を促進し、蒸気抜き孔の出口側に凝縮水溜まりを設けることで、吹きこぼれの防止と同時に適度な内圧を確保できるようにした。
【考案の効果】
【０００９】
本考案の炊飯ふたは、手持ちのお気に入りの茶碗や丼等の容器に載せるだけで、電子レンジを使って微加圧で炊飯でき、水量、蒸らし時間の調節で好みの炊きあがりに仕上げ、そのまま食卓で食べることができる。
また、単なるふたなので、洗浄も容易である。
本考案の炊飯ふたは、お気に入りの器で、炊きたてご飯を食べることができ、移し替えの手間、洗いものの手間を最小化できるものである。
さらに、本炊飯ふたは、野菜蒸し等の水蒸気を発生する調理にも利用できる。
【図面の簡単な説明】
【００１０】
【図１】図１は炊飯ふたの実施方法を示した説明図である。
【考案を実施するための形態】
【００１１】
異なる寸法の容器に対応しやすいよう、底面は平滑とする。
直径は、茶碗向けに１３ｃｍ程度にしたり、茶碗から丼等まで使えるよう１８ｃｍ程度にすることができる。
容器の縁とふたの底面は、凝縮水でシールされる。
【実施例１】
【００１２】
図1は、本考案の断面図で、厚さは、適度な重さとなる値とする。
容器内圧力は、凝縮水のシール深さによる。土の比重は１．８程度のため、ふたの平均厚さと、凝縮水のシール深さの比率は、吹きこぼれを防止するため、この範囲以内とする。
【００１３】
蒸気抜き孔は、出口側開口面積を徐々に広げ、蒸気吹出速度を下げることで蒸気の凝縮を促進し、蒸気抜き孔出口側に溜まった凝縮水で、蒸気の吹き抜けと、水分・うまみ成分の流出を防止する。
【符号の説明】
【００１４】
１    炊飯ふた
２    蒸気抜き孔
３    直径１２ｃｍの茶碗の半断面図例
４    直径１４ｃｍの小丼の半断面図例
５    直径１６ｃｍの丼の半断面図例
【図１】
0003195887.tif 000003
【手続補正書】
【提出日】平成26年12月1日(2014.12.1)
【手続補正１】
【補正対象書類名】実用新案登録請求の範囲
【補正対象項目名】全文
【補正方法】変更
【補正の内容】
【実用新案登録請求の範囲】
【請求項１】
一般的な茶碗・丼等の上に載る外径を持ち、適度な内圧を与えることができる重量となる厚さ、例えば焼き物であれば１ｃｍから３ｃｍの厚さの円盤で、出口をすり鉢状とした蒸気抜き孔を有した炊飯ふた。